(57)【要約】【課題】交換レンズ鏡筒のカメラ本体側の端面を構成するカバー部材と最もカメラ本体側に配置されるレンズとの干渉を防止しつつ、カバー部材に形成される撮影用開口部の開口面積を小さくすることが可能な交換レンズ鏡筒を提供する。【解決手段】複数枚のレンズ５を有するとともにカメラ本体に着脱可能に取り付けられる交換レンズ鏡筒１は、レンズ５の光軸方向におけるカメラ本体側を像側としたときに、交換レンズ鏡筒１の像側の端面を構成するカバー部材１０を備えており、カバー部材１０には、光軸方向においてカバー部材１０を貫通する略矩形状の撮影用開口部１０ａが形成されている。最も像側に配置されるレンズ５を最終レンズ５Ａとすると、撮影用開口部１０ａの内周面には、最終レンズ５Ａとカバー部材１０との干渉を防止するための切欠き部１０ｄが形成されている。【選択図】図１
2018180049.tif 000002
【特許請求の範囲】
【請求項１】
複数枚のレンズを有するとともにカメラ本体に着脱可能に取り付けられる交換レンズ鏡筒において、
前記レンズの光軸方向における前記カメラ本体側を像側とし、最も像側に配置される前記レンズを最終レンズとすると、
前記交換レンズ鏡筒の像側の端面を構成するカバー部材を備え、
前記カバー部材には、前記光軸方向において前記カバー部材を貫通する略矩形状の撮影用開口部が形成され、
前記撮影用開口部の内周面には、前記最終レンズと前記カバー部材との干渉を防止するための切欠き部が形成されていることを特徴とする交換レンズ鏡筒。
【請求項２】
前記撮影用開口部は、略長方形状に形成され、
前記切欠き部は、略長方形状に形成される前記撮影用開口部の内周面の２個の長辺部分の中心に形成されるとともに、前記光軸方向から見たときに、前記撮影用開口部の中心を曲率中心とする円弧状に形成されていることを特徴とする請求項１記載の交換レンズ鏡筒。
【請求項３】
前記光軸方向に直交する方向であって略長方形状に形成される前記撮影用開口部の内周面の短辺部分に平行な方向を第１方向とすると、
前記撮影用開口部の、前記切欠き部が形成された部分の第１方向の最大幅は、前記最終レンズの像側のレンズ面の有効径よりも大きくなっており、
前記撮影用開口部の、前記切欠き部が形成されていない部分の第１方向の幅は、前記最終レンズの像側のレンズ面の有効径よりも小さくなっていることを特徴とする請求項２記載の交換レンズ鏡筒。
【請求項４】
前記最終レンズを保持するレンズ枠を備え、
前記最終レンズの像側の面は、像側へ突出する凸面となっており、
前記最終レンズの像側の面の少なくとも一部は、前記レンズ枠よりも像側へ突出していることを特徴とする請求項２または３記載の交換レンズ鏡筒。
【請求項５】
前記撮影用開口部の内周面には、像側に向かうにしたがって前記撮影用開口部の外周側へ向かうように傾斜する傾斜面が形成されていることを特徴とする請求項２から４のいずれかに記載の交換レンズ鏡筒。
【請求項６】
前記光軸方向における像側の反対側を被写体側とし、前記レンズの光軸に直交する仮想平面を直交平面とすると、
前記直交平面に対する前記傾斜面の傾斜角度である第１角度は、前記切欠き部の被写体側端の近傍を通過する光線の前記直交平面に対する角度である第２角度よりも小さくなっていることを特徴とする請求項５記載の交換レンズ鏡筒。
【請求項７】
前記第１角度は、前記直交平面に対する対角光線の角度である第３角度よりも小さくなっていることを特徴とする請求項６記載の交換レンズ鏡筒。
【請求項８】
前記レンズの光軸に直交する仮想平面を直交平面とすると、
前記直交平面に対する前記傾斜面の傾斜角度は、前記撮影用開口部の内周面の全周において一定になっていることを特徴とする請求項５から７のいずれかに記載の交換レンズ鏡筒。
【発明の詳細な説明】
【技術分野】
【０００１】
本発明は、カメラ本体に着脱可能に取り付けられる交換レンズ鏡筒に関する。
【背景技術】
【０００２】
従来、カメラ本体に取り付けられる交換レンズ鏡筒が知られている（たとえば、特許文献１参照）。特許文献１に記載の交換レンズ鏡筒は、第１レンズ群から第７レンズ群までの７個のレンズ群を備えている。第７レンズ群は、最もカメラ本体側に配置されており、レンズ群の光軸方向へ移動可能となっている。また、この交換レンズ鏡筒は、交換レンズ鏡筒のカメラ本体部側の端面を構成するウラブタを備えている。ウラブタの中心には、矩形状の撮影用開口部が形成されている。
【先行技術文献】
【特許文献】
【０００３】
【特許文献１】特開２００７−２５３５０号公報
【発明の概要】
【発明が解決しようとする課題】
【０００４】
特許文献１に記載の交換レンズ鏡筒では、カメラ本体から取り外された交換レンズ鏡筒の内部に撮影用開口部から塵埃が入り込まないようにするために、撮影用開口部の開口面積は必要最小限の広さとなっていることが好ましい。すなわち、撮影用開口部の大きさ（撮影用開口部の開口面積）は可能な限り小さくなっていることが好ましい。
【０００５】
一方で、特許文献１に記載の交換レンズ鏡筒では、最もカメラ本体側に配置される第７レンズ群が光軸方向へ移動可能となっているため、撮影用開口部の大きさが小さくなっていると、交換レンズ鏡筒を構成する部品の誤差や交換レンズ鏡筒の組立誤差等の影響で、カメラ本体側に移動した第７レンズ群のレンズとウラブタとが干渉するおそれがある。また、最もカメラ本体側に配置される第７レンズ群が固定されていたとしても、光学設計上の都合で、第７レンズ群をウラブタに近づけて配置したい場合があり、この場合にも、撮影用開口部の大きさが小さくなっていると、交換レンズ鏡筒を構成する部品の誤差や交換レンズ鏡筒の組立誤差等の影響で、第７レンズ群のレンズとウラブタとが干渉するおそれがある。
【０００６】
そこで、本発明の課題は、交換レンズ鏡筒のカメラ本体側の端面を構成するカバー部材と最もカメラ本体側に配置されるレンズとの干渉を防止しつつ、カバー部材に形成される撮影用開口部の開口面積を小さくすることが可能な交換レンズ鏡筒を提供することにある。
【課題を解決するための手段】
【０００７】
上記の課題を解決するため、本発明の交換レンズ鏡筒は、複数枚のレンズを有するとともにカメラ本体に着脱可能に取り付けられる交換レンズ鏡筒において、レンズの光軸方向におけるカメラ本体側を像側とし、最も像側に配置されるレンズを最終レンズとすると、交換レンズ鏡筒の像側の端面を構成するカバー部材を備え、カバー部材には、光軸方向においてカバー部材を貫通する略矩形状の撮影用開口部が形成され、撮影用開口部の内周面には、最終レンズとカバー部材との干渉を防止するための切欠き部が形成されていることを特徴とする。
【０００８】
本発明の交換レンズ鏡筒では、撮影用開口部の内周面に、交換レンズ鏡筒の像側の端面を構成するカバー部材と最も像側に配置される最終レンズとの干渉を防止するための切欠き部が形成されている。そのため、本発明では、カバー部材と最終レンズとの干渉を防止しつつ、撮影用開口部の、切欠き部が形成されていない部分の幅を必要最小限の広さにすることが可能になる。したがって、本発明では、カバー部材と最終レンズとの干渉を防止しつつ、撮影用開口部の開口面積を小さくすることが可能になる。
【０００９】
本発明において、たとえば、撮影用開口部は、略長方形状に形成され、切欠き部は、略長方形状に形成される撮影用開口部の内周面の２個の長辺部分の中心に形成されるとともに、光軸方向から見たときに、撮影用開口部の中心を曲率中心とする円弧状に形成されている。この場合には、略長方形状に形成される撮影用開口部の対角線の長さを直径とする円形状に撮影用開口部が形成されている場合と比較して、撮影用開口部の開口面積を小さくすることが可能になる。
【００１０】
本発明において、光軸方向に直交する方向であって略長方形状に形成される撮影用開口部の内周面の短辺部分に平行な方向を第１方向とすると、撮影用開口部の、切欠き部が形成された部分の第１方向の最大幅は、最終レンズの像側のレンズ面の有効径よりも大きくなっており、撮影用開口部の、切欠き部が形成されていない部分の第１方向の幅は、最終レンズの像側のレンズ面の有効径よりも小さくなっていることが好ましい。このように構成すると、撮影用開口部の、切欠き部が形成されていない部分の第１方向の幅が、最終レンズの像側のレンズ面の有効径よりも小さくなっているため、撮影用開口部の開口面積をより小さくすることが可能になる。
【００１１】
本発明において、交換レンズ鏡筒は、最終レンズを保持するレンズ枠を備え、最終レンズの像側の面は、像側へ突出する凸面となっており、最終レンズの像側の面の少なくとも一部は、レンズ枠よりも像側へ突出していることが好ましい。このように構成すると、最終レンズの像側の面の少なくとも一部よりもレンズ枠が被写体側に配置されるため、カバー部材とレンズ枠との干渉を防止するための切欠き部を撮影用開口部に形成しなくても、カバー部材とレンズ枠との干渉を防止することが可能になる。したがって、カバー部材とレンズ枠との干渉を防止しつつ、撮影用開口部の開口面積を小さくすることが可能になる。
【００１２】
本発明において、撮影用開口部の内周面には、像側に向かうにしたがって撮影用開口部の外周側へ向かうように傾斜する傾斜面が形成されていることが好ましい。このように構成すると、像側に向かう光線が撮影用開口部の内周面で反射するのを抑制することが可能になる。したがって、撮影用開口部の内周面での反射に起因するフレアやゴーストの発生を抑制することが可能になる。
【００１３】
本発明において、光軸方向における像側の反対側を被写体側とし、レンズの光軸に直交する仮想平面を直交平面とすると、直交平面に対する傾斜面の傾斜角度である第１角度は、切欠き部の被写体側端の近傍を通過する光線の直交平面に対する角度である第２角度よりも小さくなっていることが好ましい。このように構成すると、像側に向かう光線が撮影用開口部の内周面で反射するのを効果的に抑制することが可能になる。したがって、撮影用開口部の内周面での反射に起因するフレアやゴーストの発生を効果的に抑制することが可能になる。
【００１４】
本発明において、第１角度は、直交平面に対する対角光線の角度である第３角度よりも小さくなっていることがより好ましい。このように構成すると、像側に向かう光線が撮影用開口部の内周面で反射するのを防止することが可能になる。したがって、撮影用開口部の内周面での反射に起因するフレアやゴーストの発生を防止することが可能になる。
【００１５】
本発明において、レンズの光軸に直交する仮想平面を直交平面とすると、直交平面に対する傾斜面の傾斜角度は、撮影用開口部の内周面の全周において一定になっていることが好ましい。このように構成すると、金型を用いてカバー部材が製造される場合に、金型が分割されるパーティングラインの設定が簡素化されるため、カバー部材を製造するための金型の形状を簡素化することが可能になる。すなわち、直交平面に対する傾斜面の傾斜角度が撮影用開口部の内周面の位置によって異なっている場合には、パーティングラインの設定が複雑になって、カバー部材を製造するための金型の形状が複雑になるが、直交平面に対する傾斜面の傾斜角度が撮影用開口部の内周面の全周において一定になっていると、カバー部材を製造するための金型の形状を簡素化することが可能になる。
【発明の効果】
【００１６】
以上のように、本発明の交換レンズ鏡筒では、交換レンズ鏡筒のカメラ本体側の端面を構成するカバー部材と最もカメラ本体側に配置されるレンズとの干渉を防止しつつ、カバー部材に形成される撮影用開口部の開口面積を小さくすることが可能になる。
【図面の簡単な説明】
【００１７】
【図１】本発明の実施の形態にかかる交換レンズ鏡筒の斜視図である。
【図２】図１に示す交換レンズ鏡筒の断面図である。
【図３】図１に示す撮影用開口部を像側から示す図である。
【図４】（Ａ）は、図３のＥ−Ｅ断面部分を通過する光線の直交平面に対する第２角度と撮影用開口部の傾斜面の直交平面に対する第１角度との関係を説明するための図であり、（Ｂ）は、図３のＦ−Ｆ断面部分を通過する対角光線の直交平面に対する第３角度と撮影用開口部の傾斜面の直交平面に対する第１角度との関係を説明するための図である。
【発明を実施するための形態】
【００１８】
以下、図面を参照しながら、本発明の実施の形態を説明する。
【００１９】
（交換レンズ鏡筒の構成）
図１は、本発明の実施の形態にかかる交換レンズ鏡筒１の斜視図である。図２は、図１に示す交換レンズ鏡筒１の断面図である。図３は、図１に示す撮影用開口部１０ａを像側から示す図である。図４（Ａ）は、図３のＥ−Ｅ断面部分を通過する光線Ｌ１の直交平面Ｐに対する第２角度θ２と撮影用開口部１０ａの傾斜面１０ｅの直交平面Ｐに対する第１角度θ１との関係を説明するための図であり、図４（Ｂ）は、図３のＦ−Ｆ断面部分を通過する対角光線Ｌ２の直交平面Ｐに対する第３角度θ３と撮影用開口部１０ａの傾斜面１０ｅの直交平面Ｐに対する第１角度θ１との関係を説明するための図である。
【００２０】
本形態の交換レンズ鏡筒１は、カメラ本体２に着脱可能に取り付けられる。カメラ本体２は、Ｃ−ＭＯＳイメージセンサ等の撮像素子３を備えている。撮像素子３は、長方形状に形成されている。交換レンズ鏡筒１は、複数枚のレンズ５と、撮像素子３に入射する光量を制御する絞り機構６とを備えている。以下の説明では、レンズ５の光軸Ｌの方向（光軸方向）における一方側（図１等のＺ１方向側）を「前」側とし、光軸方向における他方側（図１等のＺ２方向側）を「後ろ」側とする。本形態の後ろ側は、光軸方向におけるカメラ本体２側である像側となっており、前側は、像側の反対側である被写体側となっている。
【００２１】
複数のレンズ５のうちの最も後ろ側に配置されるレンズ５Ａは、フォーカスレンズである。交換レンズ鏡筒１は、レンズ５Ａを保持するレンズ枠７と、レンズ枠７を光軸方向（前後方向）へ移動させるレンズ駆動機構８とを備えている。レンズ駆動機構８は、モータと、モータの出力軸に固定されるネジ軸と、ネジ軸に係合するとともにレンズ枠７に固定されるナットとを備えている。レンズ５Ａは、光軸方向（前後方向）から見たときの形状が円形状となる円形レンズである。図２に示すように、レンズ５Ａの後ろ側の面（像側の面）は、後ろ側へ突出する凸面となっている。レンズ５Ａの後ろ側の面の一部は、レンズ枠７よりも後ろ側へ突出している。本形態のレンズ５Ａは、最も像側に配置される最終レンズである。
【００２２】
また、交換レンズ鏡筒１は、交換レンズ鏡筒１の後端部を構成する円環状のマウント部材９と、マウント部材９の内周側に固定されるカバー部材１０とを備えている。マウント部材９には、交換レンズ鏡筒１をカメラ本体２に装着するためのバヨネット爪が形成されている。カバー部材１０は、樹脂で形成されており、交換レンズ鏡筒１の後端面（像側の面）を構成している。カバー部材１０には、交換レンズ鏡筒１とカメラ本体２とを電気的に接続するための複数の接続端子１１を保持する端子保持部材１２が固定されている。
【００２３】
カバー部材１０には、前後方向（光軸方向）においてカバー部材１０を貫通する略矩形状の撮影用開口部１０ａが形成されている。撮影用開口部１０ａは、カバー部材１０の中心に形成されている。光軸Ｌは、撮影用開口部１０ａの中心を通過しており、レンズ５Ａを透過して撮像素子３に入射する光は、撮影用開口部１０ａを通過する。本形態の撮影用開口部１０ａは、略長方形状に形成されており、撮影用開口部１０ａの内周面は、互いに平行な２個の長辺部分１０ｂと、長辺部分１０ｂに直交するとともに互い平行な２個の短辺部分１０ｃとを備えている。長辺部分１０ｂは、長方形状に形成される撮像素子３の長辺部分と平行になっており、短辺部分１０ｃは、長方形状に形成される撮像素子３の短辺部分と平行になっている。
【００２４】
撮影用開口部１０ａの内周面には、レンズ５Ａとカバー部材１０との干渉を防止するための切欠き部１０ｄが形成されている。切欠き部１０ｄは、２個の長辺部分１０ｂのそれぞれの中心に形成されている。また、前後方向（光軸方向）に直交する方向であって短辺部分１０ｃに平行な方向（図３のＹ方向）を第１方向とすると、切欠き部１０ｄは、第１方向の外側に向かって窪むように形成されている。また、切欠き部１０ｄは、前後方向（光軸方向）から見たときに、撮影用開口部１０ａの中心を曲率中心とする円弧状に形成されている。すなわち、切欠き部１０ｄは、前後方向から見たときに光軸Ｌを中心とする円弧状に形成されている。
【００２５】
撮影用開口部１０ａの、切欠き部１０ｄが形成された部分の第１方向の最大幅Ｈ１（図３参照）は、レンズ５Ａの像側のレンズ面の有効径Ｄよりも大きくなっている。また、撮影用開口部１０ａの、切欠き部１０ｄが形成されていない部分の第１方向の幅Ｈ２（すなわち、第１方向における２個の長辺部分１０ｂの距離、図３参照）は、レンズ５Ａの像側のレンズ面の有効径Ｄよりも小さくなっている。なお、前後方向と第１方向とに直交する方向（図３の左右方向）における２個の短辺部分１０ｃの距離（図３の左右方向における撮影用開口部１０ａの幅）は、最大幅Ｈ１よりも広くなっている。
【００２６】
撮影用開口部１０ａの内周面には、後ろ側（像側）に向かうにしたがって撮影用開口部１０ａの外周側へ向かうように傾斜する傾斜面１０ｅが形成されている。すなわち、撮影用開口部１０ａの内周面には、後ろ側に向かうにしたがって光軸Ｌから離れるように傾斜する傾斜面１０ｅが形成されている。本形態では、撮影用開口部１０ａの内周面の全体が傾斜面１０ｅとなっている。
【００２７】
また、レンズ５の光軸Ｌに直交する仮想平面（撮像素子３の撮像面に平行な仮想平面）を直交平面Ｐ（図４参照）とすると、本形態では、直交平面Ｐに対する傾斜面１０ｅの傾斜角度である第１角度θ１（図４参照）は、撮影用開口部１０ａの内周面の全周において一定になっている。なお、上述の最大幅Ｈ１は、切欠き部１０ｄの前端の第１方向における最大幅であり、また、幅Ｈ２は、撮影用開口部１０ａの前端の第１方向における幅である。
【００２８】
第１角度θ１は、切欠き部１０ｄの前端（被写体側端）の近傍（直近）を通過する光線Ｌ１（図４（Ａ）参照）の直交平面Ｐに対する角度である第２角度θ２よりも小さくなっている。すなわち、第１角度θ１は、撮影用開口部１０ａの内周面の、光軸Ｌから最も近い部分の前端の近傍を後ろ側（像側）に向かって通過する光線Ｌ１の直交平面Ｐに対する角度である第２角度θ２よりも小さくなっている。本形態では、第１角度θ１は、直交平面Ｐに対する対角光線Ｌ２（図４（Ｂ）参照）の角度である第３角度θ３よりも小さくなっている。すなわち、第１角度θ１は、撮影用開口部１０ａの内周面の角部の前端の近傍（直近）を通過する対角光線Ｌ２の直交平面Ｐに対する角度である第３角度θ３よりも小さくなっている。
【００２９】
なお、対角光線Ｌ２は、長方形状に形成される撮像素子３の角部に像を結ぶための光線である。第３角度θ３は、撮影用開口部１０ａの内周面の前端の近傍（直近）を通過する光線の直交平面Ｐに対する傾斜角度の最小値となっており、第１角度θ１は、レンズ５Ａの後面から射出された光線が直接、傾斜面１０ｅに入射しない角度に設定されている。
【００３０】
（本形態の主な効果）
以上説明したように、本形態の交換レンズ鏡筒１は、複数枚のレンズ５を有するとともにカメラ本体２に着脱可能に取り付けられる交換レンズ鏡筒１において、レンズ５の光軸方向におけるカメラ本体２側を像側とすると、交換レンズ鏡筒１の像側の端面を構成するカバー部材１０を備えるとともに、複数のレンズ５の最も像側にレンズ５Ａが配置されている。また、本形態では、カバー部材１０には、光軸方向においてカバー部材１０を貫通する略矩形状の撮影用開口部１０ａが形成されており、撮影用開口部１０ａの内周面には、レンズ５Ａとカバー部材１０との干渉を防止するための切欠き部１０ｄが形成されている。
【００３１】
具体的には、撮影用開口部１０ａは、略長方形状に形成されており、切欠き部１０ｄは、略長方形状に形成される撮影用開口部１０ａの内周面の２個の長辺部分１０ｂの中心に形成されるとともに、光軸方向から見たときに、撮影用開口部１０ａの中心を曲率中心とする円弧状に形成されている。
【００３２】
このように、本形態では、撮影用開口部１０ａの内周面に、交換レンズ鏡筒１の像側の端面を構成するカバー部材１０と最も像側に配置されるレンズ５Ａとの干渉を防止するための切欠き部１０ｄが形成されている。そのため、本形態では、レンズ５Ａとカバー部材１０との干渉を防止しつつ、撮影用開口部１０ａの、切欠き部１０ｄが形成されていない部分の幅Ｈ２を必要最小限の広さにすることが可能になる。したがって、本形態では、フォーカスレンズであるレンズ５Ａとカバー部材１０との干渉を防止しつつ、撮影用開口部１０ａの開口面積を小さくすることが可能になる。
【００３３】
本形態のように、光軸方向に直交する方向であって略長方形状に形成される撮影用開口部１０ａの内周面の短辺部分１０ｃに平行な方向を第１方向とすると、撮影用開口部１０ａの、切欠き部１０ｄが形成された部分の第１方向の最大幅Ｈ１は、レンズ５Ａの像側のレンズ面の有効径Ｄよりも大きくなっており、撮影用開口部１０ａの、切欠き部１０ｄが形成されていない部分の第１方向の幅Ｈ２は、レンズ５Ａの像側のレンズ面の有効径Ｄよりも小さくなっていることが好ましい。このようにすると、撮影用開口部１０ａの、切欠き部１０ｄが形成されていない部分の第１方向の幅Ｈ２が、レンズ５Ａの像側のレンズ面の有効径Ｄよりも小さくなっているため、撮影用開口部１０ａの開口面積をより小さくすることが可能になる。
【００３４】
本形態のように、交換レンズ鏡筒１は、レンズ５Ａを保持するレンズ枠７を備え、レンズ５Ａの像側の面は、像側へ突出する凸面となっており、レンズ５Ａの像側の面の少なくとも一部は、レンズ枠７よりも像側へ突出していることが好ましい。このようにすると、レンズ５Ａの像側の面の少なくとも一部よりもレンズ枠７が被写体側に配置されるため、カバー部材１０とレンズ枠７との干渉を防止するための切欠き部を撮影用開口部１０ａに形成しなくても、カバー部材１０とレンズ枠７との干渉を防止することが可能になる。したがって、カバー部材１０とレンズ枠７との干渉を防止しつつ、撮影用開口部１０ａの開口面積を小さくすることが可能になる。
【００３５】
本形態のように、撮影用開口部１０ａの内周面には、像側に向かうにしたがって撮影用開口部１０ａの外周側へ向かうように傾斜する傾斜面１０ｅが形成されていることが好ましい。このようにすると、像側に向かう光線（撮像素子３に向かう光線）が撮影用開口部１０ａの内周面で反射するのを抑制することが可能になる。したがって、撮影用開口部１０ａの内周面での反射に起因するフレアやゴーストの発生を抑制することが可能になる。
【００３６】
本形態のように、光軸方向における像側の反対側を被写体側とし、レンズ５の光軸Ｌに直交する仮想平面を直交平面Ｐとすると、直交平面Ｐに対する傾斜面１０ｅの傾斜角度である第１角度θ１は、切欠き部１０ｄの被写体側端の近傍を通過する光線Ｌ１の直交平面Ｐに対する角度である第２角度θ２よりも小さくなっていることが好ましい。このようにすると、像側に向かう光線が撮影用開口部１０ａの内周面で反射するのを効果的に抑制することが可能になる。したがって、撮影用開口部１０ａの内周面での反射に起因するフレアやゴーストの発生を効果的に抑制することが可能になる。
【００３７】
本形態のように、第１角度θ１は、直交平面Ｐに対する対角光線Ｌ２の角度である第３角度θ３よりも小さくなっていることがより好ましい。このようにすると、像側に向かう光線が撮影用開口部１０ａの内周面で反射するのを防止することが可能になる。したがって、撮影用開口部１０ａの内周面での反射に起因するフレアやゴーストの発生を防止することが可能になる。
【００３８】
本形態のように、レンズ５の光軸Ｌに直交する仮想平面を直交平面Ｐとすると、直交平面Ｐに対する傾斜面１０ｅの傾斜角度（すなわち、第１角度θ１）は、撮影用開口部１０ａの内周面の全周において一定になっていることが好ましい。このようにすると、金型を用いてカバー部材１０が製造される場合に、カバー部材１０を製造するための金型の形状を簡素化することが可能になる。すなわち、直交平面Ｐに対する傾斜面１０ｅの第１角度θ１が撮影用開口部１０ａの内周面の位置によって異なっている場合には、カバー部材１０を製造するための金型の形状が複雑になるが、直交平面Ｐに対する傾斜面１０ｅの第１角度θ１が撮影用開口部１０ａの内周面の全周において一定になっていると、カバー部材１０を製造するための金型の形状を簡素化することが可能になる。
【００３９】
（他の実施の形態）
上述した形態において、前後方向と第１方向とに直交する方向（図３の左右方向）における２個の短辺部分１０ｃの距離が短くなっている場合には、短辺部分１０ｃの中心に、レンズ５Ａとカバー部材１０との干渉を防止するための切欠き部が形成されていても良い。また、上述した形態において、撮影用開口部１０ａは、略正方形状に形成されていても良い。この場合には、たとえば、撮影用開口部１０ａの内周面の４辺のそれぞれに、レンズ５Ａとカバー部材１０との干渉を防止するための切欠き部が形成されている。
【００４０】
上述した形態において、直交平面Ｐに対する傾斜面１０ｅの第１角度θ１が撮影用開口部１０ａの内周面の位置によって異なっていても良い。たとえば、切欠き部１０ｄに形成される傾斜面１０ｅの傾斜角度θ１が傾斜角度θ２より小さく、かつ、傾斜角度θ３より大きくなっていても良い。また、たとえば、長辺部分１０ｂに形成される傾斜面１０ｅの傾斜角度θ１が傾斜角度θ２より小さく、かつ、傾斜角度θ３より大きくなっていても良いし、短辺部分１０ｃに形成される傾斜面１０ｅの傾斜角度θ１が傾斜角度θ２より小さく、かつ、傾斜角度θ３より大きくなっていても良い。
【００４１】
上述した形態では、撮影用開口部１０ａの内周面の全体が傾斜面１０ｅとなっているが、撮影用開口部１０ａの内周面の一部分に前後方向（光軸方向）に平行な平面が形成されていても良い。また、上述した形態において、最も後ろ側に配置されるレンズ５Ａは、固定された固定レンズであっても良い。また、上述した形態において、レンズ５Ａの後ろ側の面の全体がレンズ枠７より後ろ側へ突出していても良い。
【符号の説明】
【００４２】
１  交換レンズ鏡筒
２  カメラ本体
５  レンズ
５Ａ  レンズ（最終レンズ）
７  レンズ枠
１０  カバー部材
１０ａ  撮影用開口部
１０ｂ  長辺部分
１０ｃ  短辺部分
１０ｄ  切欠き部
１０ｅ  傾斜面
Ｄ  最終レンズの像側のレンズ面の有効径
Ｈ１  撮影用開口部の、切欠き部が形成された部分の第１方向の最大幅
Ｈ２  撮影用開口部の、切欠き部が形成されていない部分の第１方向の幅
Ｌ  光軸
Ｌ１  切欠き部の被写体側端の近傍を通過する光線
Ｌ２  対角光線
Ｐ  直交平面
Ｙ  第１方向
Ｚ１  被写体側
Ｚ２  像側
θ１  第１角度（傾斜面の傾斜角度）
θ２  第２角度
θ３  第３角度
【図１】
2018180049.tif 000003
【図２】
2018180049.tif 000004
【図３】
2018180049.tif 000005
【図４】
2018180049.tif 000006